(57)【要約】【課題】高圧電圧の経路が未接続であることによる感電や放電の発生を防止する。【解決手段】フライバックパルス４１を波形整形して得られた信号である整形パルス信号４２を出力する波形整形回路２３と、装置としての動作を制御するマイクロコンピュータ１３とを備えた構成において、マイクロコンピュータ１３は、整形パルス信号４２の周期に基づいて正常なフライバックパルス４１が出力されているかどうかを調べ、正常なフライバックパルス４１が送出されていないことを検出したときには水平出力トランジスタＱ２の動作を停止させる。【選択図】  図１
2004364073.tif 000002
【特許請求の範囲】
【請求項１】
水平偏向用の原信号を生成する水平発振回路と、
水平偏向用の原信号に対応して水平偏向コイルとフライバックトランスとを駆動する水平出力トランジスタと、
フライバックトランスから送出されるフライバックパルスと映像信号の水平同期信号とに基づき、水平発振回路の発振を位相制御する水平ＡＦＣ回路と、
フライバックパルスを波形整形して得られた信号である整形パルス信号を出力する波形整形回路と、
装置本体の前面パネルに設けられ、電源のオンオフ等の情報が表示される表示部と、
装置としての動作を制御するマイクロコンピュータとを備えたテレビ受像機において、
マイクロコンピュータは、整形パルス信号の周期に基づいてフライバックトランスから正常なフライバックパルスが出力されているかどうかを調べ、フライバックトランスから正常なフライバックパルスが送出されていないことを検出したときには水平出力トランジスタの動作を停止させるとともに表示部を用いて警告表示を行うことを特徴とするテレビ受像機。
【請求項２】
水平偏向用の原信号を生成する水平発振回路と、
水平偏向用の原信号に対応して水平偏向コイルとフライバックトランスとを駆動する水平出力トランジスタと、
フライバックトランスから送出されるフライバックパルスと映像信号の水平同期信号とに基づき、水平発振回路の発振を位相制御する水平ＡＦＣ回路と、
フライバックパルスを波形整形して得られた信号である整形パルス信号を出力する波形整形回路と、
装置としての動作を制御するマイクロコンピュータとを備えたＣＲＴ表示装置において、
マイクロコンピュータは、整形パルス信号の周期に基づいてフライバックトランスから正常なフライバックパルスが出力されているかどうかを調べ、フライバックトランスから正常なフライバックパルスが送出されていないことを検出したときには水平出力トランジスタの動作を停止させることを特徴とするＣＲＴ表示装置。
【請求項３】
水平偏向用の原信号を生成する水平発振回路と、
水平偏向用の原信号に対応して水平偏向コイルとフライバックトランスとを駆動する水平出力トランジスタと、
フライバックトランスから送出されるフライバックパルスと映像信号の水平同期信号とに基づき、水平発振回路の発振を位相制御する水平ＡＦＣ回路と、
装置としての動作を制御するマイクロコンピュータとを備えたＣＲＴ表示装置において、
フライバックトランスから正常なフライバックパルスが出力されているかどうかを調べ、フライバックパルスから正常なフライバックパルスが送出されていないことを検出したときには異常検出信号を送出するパルス監視回路を備え、
マイクロコンピュータは、異常検出信号が送出されたときには水平出力トランジスタの動作を停止させることを特徴とするＣＲＴ表示装置。
【発明の詳細な説明】
【０００１】
【発明の属する技術分野】
本発明は、フライバックトランスから出力されるフライバックパルスに基づいて、水平発振回路の発振を位相制御するテレビ受像機およびＣＲＴ表示装置に関するものである。
【０００２】
【従来の技術】
テレビ受像機の生産ラインでは、ラインの工程の終わり近くにおいて、フライバックトランスが搭載された基板やＣＲＴ等の取り付けを完了したセットに商用電源を供給して動作させ、各種の検査を行うようになっている。一方、セットの側では、商用電源の供給が開始されると、高圧発生回路はアノード用の高圧電圧を発生し、出力する動作を行う（第１の従来技術とする）。
【０００３】
また、ＣＲＴを備えた映像表示装置の高圧の異常を検出して部品の破損等を防止する従来技術として、以下に示す構成が開示されている（第２の従来技術とする）。すなわち、この技術においては、フライバックトランスの出力巻線に、映像信号に含まれる垂直同期信号に基づいて垂直パルス信号を生成し、垂直偏向コイルに出力する垂直出力回路を接続している。また、この垂直出力回路において、垂直同期信号のレベル変化に対応してレベルが変化する信号（プロテクト信号）を生成し、マイコンに出力している。従って、プロテクト信号は、垂直同期信号に異常が生じると、ＨレベルまたはＬレベルに固定される。このため、マイコンは、プロテクト信号のレベルがＨレベルまたはＬレベルから変化しなくなったときには、不具合が生じたと判定する。そして、不具合が生じたと判定した場合、動作モードが通常モードの場合では電源をオフにする。しかし、サービスモードであるときには、電源をオン状態に維持する。このため、不具合が生じた場合のサービスの作業が迅速化されることになる（例えば、特許文献１参照）。
【０００４】
また、以下に示す従来技術が提案されている（第３の従来技術とする）。すなわち、この技術においては、フライバックトランスの一次コイルに直流を供給する水平偏向回路用のプラス電源の経路に、電源電流検出回路部を介挿している。また、電源電流検出回路部とフライバックトランスの二次巻線の端子の一方との間に、ブラウン管に流れるビーム電流を検出するビーム電流検出回路部を介挿している。そして、電源電流検出回路部による検出結果から、ビーム電流検出回路部による検出結果を差し引いた減算結果に基づいて、フライバックトランスに供給される電源電流の異常を検出するようにしている。このため、減算結果においては、輝度の差異により生じるビーム電流の差異がキャンセルされるので、異常と判定するための基準値を小さく設定することが可能となって、フライバックトランス内のレアーショート現象などの検出を行うこともできる。つまり、より確実な保護を行うことができるようになっている（例えば、特許文献２参照）。
【０００５】
【特許文献１】
特開平７−２６４５１１号公報
【特許文献２】
特開２００２−３３０３６８号公報
【０００６】
【発明が解決しようとする課題】
しかしながら第１の従来技術においては、アノードキャップがＣＲＴのアノードに接続されていなかったり、あるいは、アノードグランドが接地されていなかったりした場合でも、高圧発生回路は高圧電圧を発生する。このため、アノードキャップやアノードグランドが未接続となっている場合では、予期しない箇所との間で放電することがあるので、セットが破壊される恐れが生じる。さらには、検査員の感電の恐れがあったりして、非常に危険である。このため、高圧電圧の経路が未接続となっている場合では、未接続であることを検出して、高圧発生回路の動作を停止させる構成が望まれていた。
【０００７】
一方、第２の従来技術においては、アノード用の高圧電圧の経路が未接続となったことから、フライバックトランスの二次コイルの出力電圧に変動が生じた場合の垂直出力回路の動作については、全く記載されていない。このため、第１の従来技術において望まれている目的を得ようとする場合では、確実性を欠如する構成となっており、適用することが困難となっていた。
【０００８】
また、第３の従来技術は、高圧発生回路用の電源電流の値からビーム電流を減じた値である減算結果に基づいて、高圧回路の異常を検出するようになっている。従って、アノード用の高圧電圧の経路が未接続となって、ビーム電流が０となったときでは、高圧発生回路用の電源電流の値は、ビーム電流が０のときに対応する値となる。従って、減算結果は正常な値を示すことになって、高圧電圧の経路が未接続となっていることが検出されない。このため、高圧電圧の経路が未接続となるときにも、高圧発生の動作を停止することができなくなっている。
【０００９】
本発明は上記課題を解決するため創案されたものであって、その目的は、アノード用の高圧電圧の経路が未接続であるときには、フライバックトランスから正常なフライバックパルスが出力されなくなることに着目し、正常なフライバックパルスが出力されなくなったときには、アノード用の高圧電圧の経路が未接続であるとして、水平出力トランジスタの動作を停止させることにより、アノード用の高圧電圧の経路が未接続であることによる感電や放電の発生を防止することのでき、且つ、ハードウエアの増加を招くことなく、アノード用の高圧電圧の経路が未接続であることの警告表示を行うことのできるテレビ受像機を提供することにある。
【００１０】
また本発明の目的は、アノード用の高圧電圧の経路が未接続であるときには、フライバックトランスから正常なフライバックパルスが出力されなくなることに着目し、正常なフライバックパルスが出力されなくなったときには、アノード用の高圧電圧の経路が未接続であるとして、水平出力トランジスタの動作を停止させることにより、アノード用の高圧電圧の経路が未接続であることによる感電や放電の発生を防止することのできるＣＲＴ表示装置を提供することにある。
【００１１】
【課題を解決するための手段】
上記課題を解決するため本発明に係るテレビ受像機は、水平偏向用の原信号を生成する水平発振回路と、水平偏向用の原信号に対応して水平偏向コイルとフライバックトランスとを駆動する水平出力トランジスタと、フライバックトランスから送出されるフライバックパルス（ＡＦＣ  ＰＵＬＳ）と映像信号の水平同期信号とに基づき、水平発振回路の発振を位相制御する水平ＡＦＣ回路と、フライバックパルスを波形整形して得られた信号である整形パルス信号を出力する波形整形回路と、装置本体の前面パネルに設けられ、電源のオンオフ等の情報が表示される表示部と、装置としての動作を制御するマイクロコンピュータとを備えたテレビ受像機に適用している。そして、マイクロコンピュータは、整形パルス信号の周期に基づいてフライバックトランスから正常なフライバックパルスが出力されているかどうかを調べ、フライバックトランスから正常なフライバックパルスが送出されていないことを検出したときには水平出力トランジスタの動作を停止させるとともに表示部を用いて警告表示を行うようになっている。
【００１２】
すなわち、アノードキャップがアノードに接続されていない、あるいは、アノードグランド線が接地されていない、といったような、アノード用の高圧電圧の経路が形成されていない場合では、フライバックトランスの高圧の出力点と接地レベルとの間には、ＣＲＴのアノードに接続された内部導電膜と外部導電膜との間に形成される等価的な容量成分が接続されない状態となる。従って、フライバックトランスの二次コイルの共振周波数が高い側に変移する。その結果、水平帰線期間において水平偏向コイルに高圧が発生するときにも、フライバックトランスの二次側には、所定波形の電圧が発生しなくなる。従って、整形パルス信号の周期は正常な値を示さなくなる。そして、整形パルス信号の周期が正常な値を示さなくなったときには、マイクロコンピュータは、水平出力トランジスタの動作を停止させるので、高圧電圧の出力が停止される。また、高圧電圧の経路の接続の異常を示す警告表示は、装置に予め備わっている表示部を用いて表示されることになる。
【００１３】
また本発明に係るＣＲＴ表示装置は、水平偏向用の原信号を生成する水平発振回路と、水平偏向用の原信号に対応して水平偏向コイルとフライバックトランスとを駆動する水平出力トランジスタと、フライバックトランスから送出されるフライバックパルス（ＡＦＣ  ＰＵＬＳ）と映像信号の水平同期信号とに基づき、水平発振回路の発振を位相制御する水平ＡＦＣ回路と、フライバックパルスを波形整形して得られた信号である整形パルス信号を出力する波形整形回路と、装置としての動作を制御するマイクロコンピュータとを備えたＣＲＴ表示装置に適用している。そして、マイクロコンピュータは、整形パルス信号の周期に基づいてフライバックトランスから正常なフライバックパルスが出力されているかどうかを調べ、フライバックトランスから正常なフライバックパルスが送出されていないことを検出したときには水平出力トランジスタの動作を停止させるようになっている。
【００１４】
すなわち、アノードキャップがアノードに接続されていない、あるいは、アノードグランド線が接地されていない、といったような、アノード用の高圧電圧の経路が形成されていない場合では、フライバックトランスの高圧の出力点と接地レベルとの間には、ＣＲＴのアノードに接続された内部導電膜と外部導電膜との間に形成される等価的な容量成分が接続されない状態となる。従って、フライバックトランスの二次コイルの共振周波数が高い側に変移する。その結果、水平帰線期間において水平偏向コイルに高圧が発生するときにも、フライバックトランスの二次側には、所定波形の電圧が発生しなくなる。従って、整形パルス信号の周期は正常な値を示さなくなる。そして、整形パルス信号の周期が正常な値を示さなくなったときには、マイクロコンピュータは、水平出力トランジスタの動作を停止させるので、高圧電圧の出力が停止される。
【００１５】
また本発明に係るＣＲＴ表示装置は、水平偏向用の原信号を生成する水平発振回路と、水平偏向用の原信号に対応して水平偏向コイルとフライバックトランスとを駆動する水平出力トランジスタと、フライバックトランスから送出されるフライバックパルス（ＡＦＣ  ＰＵＬＳ）と映像信号の水平同期信号とに基づき、水平発振回路の発振を位相制御する水平ＡＦＣ回路と、装置としての動作を制御するマイクロコンピュータとを備えたＣＲＴ表示装置に適用している。そして、フライバックトランスから正常なフライバックパルスが出力されているかどうかを調べ、フライバックパルスから正常なフライバックパルスが送出されていないことを検出したときには異常検出信号を送出するパルス監視回路を備え、マイクロコンピュータは、異常検出信号が送出されたときには水平出力トランジスタの動作を停止させるようになっている。
【００１６】
すなわち、アノードキャップがアノードに接続されていない、あるいは、アノードグランド線が接地されていない、といったような、アノード用の高圧電圧の経路が形成されない場合では、フライバックトランスの高圧の出力点と接地レベルとの間には、ＣＲＴのアノードに接続された内部導電膜と外部導電膜との間に形成される等価的な容量成分が接続されない状態となる。従って、フライバックトランスの二次コイルの共振周波数が高い側に変移する。その結果、水平帰線期間において水平偏向コイルに高圧が発生するときにも、フライバックトランスの二次側には、所定波形の電圧が発生しなくなる。このため、パルス監視回路は異常検出信号を出力する。その結果、マイクロコンピュータは、水平出力トランジスタの動作を停止させるので、高圧電圧の出力が停止される。
【００１７】
【発明の実施の形態】
以下に本発明の実施例の形態を、図面を参照しつつ説明する。
図１は、本発明に係るＣＲＴ表示装置の第１の実施形態を用いたテレビ受像機の電気的構成を示すブロック線図である。
【００１８】
図において、破線３１により囲まれたブロックは、制御を主目的とするＩＣを示しており、その内部には、マイクロコンピュータ（以下では、単にマイコンと称する）１３や、オンスクリーンディスプレイ回路（以下では、単にＯＳＤ回路と称する）１２、等が集積化されている。また、破線３２によって囲まれたブロックは、ビデオ・クロマＩＣとなっており、テレビ受像機として要求される映像信号の処理やＣＲＴ１の駆動のための回路が集積化されていて、映像信号処理回路２１、偏向用信号発生部２２、波形整形回路２３、および、通信制御部２４、等を備えている。
【００１９】
映像信号処理回路２１は、入力された映像信号に対して所定処理を施し、３つの原色色信号を生成する。そして、生成した３つの原色色信号を駆動回路４に出力する。且つ、前記所定処理において、通信制御部２４を介して与えられたマイコン１３の指示に従い、映像信号における輝度や色の濃さ等を指示された輝度や濃さに設定する。また、ＯＳＤ回路１２から出力される文字や絵柄や記号等を示す信号を、映像信号に重畳して駆動回路４に出力する。また、映像信号から分離した水平同期信号を偏向用信号発生部２２に出力する。
【００２０】
駆動回路４は、ＣＲＴ１の後部に取り付けられる補助基板に形成された回路となっており、原色色信号のそれぞれを増幅するドライブトランジスタ等を備えている。そして、映像信号処理回路２１から出力される色信号を増幅して、ＣＲＴ１のカソードを駆動する。また、一方の端部がＣＲＴ１の外部導電膜１０１に接続されたアノードグランド線１０３の他方の端部を接続するための端子４０１が設けられている。なお、この端子４０１は、補助基板内において接地レベルに接続されている。
【００２１】
水平ドライブトランジスタ（以下では、単にトランジスタと称する）Ｑ１は、偏向用信号発生部２２から出力されるプリドライブ信号に従ってドライブトランス３に流れる電流をスイッチングする。このため、トランジスタＱ１のベースには、偏向用信号発生部２２から出力される信号（水平発振回路２５から出力され、分周された後、図示されない増幅回路によって増幅されたプリドライブ信号）が導かれている。また、コレクタはドライブトランス３の一次コイルＬ３１の一方の端子に接続され、エミッタは接地されている。そして、一次コイルＬ３１の他方の端子は、１１０Ｖ等のプラス電源Ｂ＋に接続されている。
【００２２】
水平出力トランジスタ（以下では、単にトランジスタと称する）Ｑ２は、ドライブトランス３の出力に従ってスイッチング動作を行うことにより、ＣＲＴ１に設けられた水平偏向コイル１０２（垂直偏向コイルは図示が省略されている）を駆動する。また、フライバックトランス２を駆動する。このため、トランジスタＱ２のベースは、ドライブトランス３の二次コイルＬ３２の一方の端子に接続されている。また、二次コイルＬ３２の他方の端子とトランジスタＱ２のエミッタとは接地されている。そして、コレクタは、フライバックトランス２の一次コイルＬ１の一方の端子と、水平偏向コイル１０２の一方の端子に接続されている。また、フライバックトランス２の一次コイルＬ１の他方の端子はプラス電源Ｂ＋に接続されている。
【００２３】
フライバックトランス２には、ＣＲＴ１のアノード１０４に接続されるアノードキャップ１０５に、アノード用の高圧電圧（以下では、単に高圧電圧と称する）を出力するため、複数に分割された二次コイルＬ２ａ，Ｌ２ｂが巻回されている（実機では数個に分割されている）。また、二次コイルＬ２ａとＬ２ｂとの間には、整流用のダイオードＤが接続されている。また、フライバックパルス（ＡＦＣ  ＰＵＬＳ）４１を出力するコイルＬ３が巻回されている。
【００２４】
波形整形回路２３は、フライバックトランス２から出力されるフライバックパルス４１を、電圧変化の幅が、例えば、５Ｖとなる信号に波形整形する。そして、波形整形した信号である整形パルス信号４２を、マイコン１３やＯＳＤ回路１２に出力する。また、フライバックパルス４１のレベルを小さくして偏向用信号発生部２２に送出する。
【００２５】
偏向用信号発生部２２は、トランジスタＱ１のベースに、駆動用の信号（プリドライブ信号）を出力する。このため、水平発振回路２５、水平ＡＦＣ回路２６、等を備えている（分周回路やプリドライブ回路は図示が省略されている）。水平発振回路２５は、電圧制御発振回路となっていて、その出力は、分周回路やプリドライブ回路を介して、トランジスタＱ１のベースに出力される。また、ブランキング信号の生成にも使用される。
【００２６】
水平ＡＦＣ回路２６は、フライバックトランス２から出力されるフライバックパルス４１と映像信号の水平同期信号とに基づき、水平発振回路２５の発振を制御する。すなわち、波形整形回路２３においてレベルが低減されたフライバックパルス４１と、映像信号処理回路２１から出力される水平同期信号との位相の差異を検出する。そして、検出した位相の差異に対応する電圧を水平発振回路２５に出力する。すなわち、水平ＡＦＣ回路２６と水平発振回路２５とは、対となることによってＰＬＬ回路を形成し、水平同期信号に位相同期した信号を生成する。
【００２７】
通信制御部２４は、２本の通信線（ＢＵＳＳ通信ライン）４５を介して、マイコン１３と双方向性に接続されており、映像信号処理回路２１と偏向用信号発生部２２とを、マイコン１３が指示した動作状態に設定する。すなわち、マイコン１３が水平出力トランジスタＱ２の動作を指示するときには、トランジスタＱ１のベースを駆動する信号を偏向用信号発生部２２から出力させ、マイコン１３が水平出力トランジスタＱ２の動作の停止を指示するときには、トランジスタＱ１のベースを駆動する信号の出力を停止させる。また、映像信号処理回路２１における映像信号の輝度や色の濃さ等を、マイコン１３が指示した値となるように、映像信号処理回路２１を制御する。
【００２８】
チューナ１１は、マイコン１３から指示されたチャンネルの商用放送を受信する。且つ、受信して得られた映像信号を映像信号処理回路２１に出力する。ＯＳＤ回路１２は、波形整形回路２３から出力される整形パルス信号４２に基づいて、ドットクロックを生成する。そして、生成したドットクロックを用いて、文字や記号等の情報を示す表示信号を生成し、映像信号処理回路２１に出力する。
【００２９】
表示部１５は、図２に示したように、装置本体５１の前面パネル５２に設けられた表示器であり、ＬＥＤ１５１によって電源のオンオフが表示される。また、数字表示器１５２によって、電源オフ時では時刻の表示が行われ、電源オン時では、受信中のチャンネル番号が表示されるようになっている。
【００３０】
マイコン１３は、テレビ受像機としての主要動作の制御（装置としての動作の制御）を行う。このため、チューナ１１が受信するチャンネルを制御する。また、ＯＳＤ回路１２が生成する表示信号により示される文字や記号等を制御する。また、通信制御部２４を介して、映像信号処理回路２１の各種の動作状態を設定する。また、波形整形回路２３から出力される整形パルス信号４２の周期に基づいて、フライバックトランス２から正常なフライバックパルス４１が出力されているかどうかを調べる。そして、正常なフライバックパルス４１が出力されていないことを検出したときには、通信制御部２４を介して、偏向用信号発生部２２からトランジスタＱ１への駆動用の信号の出力を停止させ、水平出力トランジスタＱ２の動作を停止させる。
【００３１】
上記構成からなる実施形態の動作について説明する。
アノードキャップ１０５がＣＲＴ１のアノード１０４に接続され、アノードグランド線１０３が駆動回路４の端子４０１に接続されているため、高圧電圧の経路が形成されているとする。この状態において、商用電源の供給が開始されると、マイコン１３は、偏向用信号発生部２２から駆動用の信号を出力させ、トランジスタＱ１を動作させる。このため、フライバックトランス２はトランジスタＱ２によって駆動される。その結果、アノード１０４に高圧電圧が印加され、フライバックトランス２からは正常なフライバックパルス４１が出力される。
【００３２】
フライバックトランス２から出力される正常なフライバックパルス４１は、図３の４１により示したように、水平帰線期間において出力される信号であり、正弦波の半波に近似した形状のパルス信号Ｐ１となっている。また、信号のレベルＶ１は、１２０Ｖ〜１６０Ｖ程度となっている。また、その周期ｔ１は、水平同期信号の周波数が約１５．７ＫＨｚであるため、約６３．５μＳとなっている。また、波形整形回路２３から出力される整形パルス信号４２は、フライバックパルス４１と周期が同一であり、レベル（Ｖ２により示す）が約５Ｖであるパルス信号Ｐ２となっている。
【００３３】
マイコン１３は、整形パルス信号４２におけるパルス信号Ｐ２の周期を調べる。そして、周期が６３μＳの近傍値であるときには、アノードキャップ１０５がＣＲＴ１のアノード１０４に接続され、アノードグランド線１０３が駆動回路４の端子４０１に接続されているとして、偏向用信号発生部２２がトランジスタＱ１に駆動用の信号を出力する動作を続けさせる。
【００３４】
一方、サービス時、あるいは、製造ライン、等において、手順の誤り等から、アノードキャップ１０５がＣＲＴ１のアノード１０４に接続されていない、あるいは、アノードグランド線１０３が駆動回路４の端子４０１に接続されていない状態（高圧電圧の経路が形成されていない状態）において、商用電源の供給が開始されたとする。商用電源の供給が開始されて動作状態に移行すると、マイコン１３は、偏向用信号発生部２２からトランジスタＱ１に駆動用の信号を出力させる。
【００３５】
しかし、高圧電圧の経路が形成されていない場合では、フライバックトランス２の高圧の出力点２０１と接地レベルとの間には、ＣＲＴ１のアノード１０４に接続された内部導電膜（図示を省略）と外部導電膜１０１との間に形成される等価的な容量成分（破線により図示されたコンデンサＣ）が接続されない状態となる。従って、二次コイルＬ２ａ，Ｌ２ｂの共振周波数が高い側に変移する。このため、フライバックトランス２を一次側から見たときの共振周波数が変わる。その結果、水平帰線期間において水平偏向コイル１０２に高圧が発生するときにも、フライバックトランス２の二次側には、所定波形の電圧が発生しなくなる。すなわち、フライバックトランス２からは、周期が約６３．５μＳである正常なフライバックパルス４１が出力されなくなる。
【００３６】
その結果、波形整形回路２３から出力される整形パルス信号４２は、波形が不定の信号となる。つまり、周期が不定の信号となる。このため、マイコン１３は、フライバックトランス２から正常なフライバックパルス４１が出力されていないと判定する。この判定を行ったとき、マイコン１３は、通信制御部２４を介して、偏向用信号発生部２２からの駆動用の信号の出力を停止させ、トランジスタＱ１の動作を停止させる。このため、トランジスタＱ２も、フライバックトランス２を駆動する動作を停止する。その結果、フライバックトランス２からの高圧電圧の出力が停止される。つまり、高圧電圧の経路が形成されなかった場合、すなわち、アノードキャップ１０５がアノード１０４に接続されなかったり、アノードグランド線１０３が端子４０１に接続されなかったりした場合では、微少時間において高圧電圧が出力された後、高圧電圧の出力が停止される。
【００３７】
また、マイコン１３は、表示部１５の電源オンを示すＬＥＤ１５１を点滅表示することでもって、アノードキャップ１０５がアノード１０４に接続されていないか、または、アノードグランド線１０３が端子４０１に接続されていないことを警告表示する。
【００３８】
図４は、第２の実施形態を適用したテレビ受像機の電気的構成を示すブロック線図であり、図１に示す構成と同一となるブロックには、図１と同一符号を付与し、説明を省略する。
【００３９】
第２の実施形態と第１の実施形態との差異は、ＩＣ３３，３４の構成のみとなっている。すなわち、本実施形態におけるＩＣ３３においては、波形整形回路２３から出力される整形パルス信号４２は、ＯＳＤ回路１２にのみ導かれるようになっている。また、ＩＣ３４においては、パルス監視回路２８が追加して設けられている。
【００４０】
パルス監視回路２８は、フライバックパルス４１の電圧のピーク値と周期とを監視するようになっている。そして、ピーク値が所定範囲外となるとき、あるいは、周期が６３．５μＳの近傍とは異なる値となるときには、フライバックパルス４１は正常なフライバックパルスにはなっていないと判定する。そして、正常なフライバックパルス４１ではないと判定したときには、異常検出信号４６を、通信制御部２４を介して、マイコン１３に出力する。
【００４１】
一方、マイコン１３の側では、通信制御部２４を介して、パルス監視回路２８が出力した異常検出信号４６を受け取ると、次には、通信制御部２４を介して、偏向用信号発生部２２がトランジスタＱ１に駆動用の信号を出力する動作を停止させる。従って、水平出力トランジスタＱ２の動作も停止する。また、表示部１５の電源オンを示すＬＥＤ１５１を点滅表示することでもって、アノードキャップ１０５がアノード１０４に接続されていないか、または、アノードグランド線１０３が端子４０１に接続されていないことを警告表示する。
【００４２】
第２の実施形態の動作について説明する。
商用電源が供給され、動作状態となったときには、マイコン１３は、偏向用信号発生部２２からトランジスタＱ１に駆動用の信号を出力させる。このため、トランジスタＱ２も動作状態となり、フライバックトランス２が駆動される。従って、アノードキャップ１０５がアノード１０４に接続され、アノードグランド線１０３が端子４０１に接続されている場合では、パルス監視回路２８には、ピーク値が１２０Ｖ〜１６０Ｖ、周期が約６３．５μＳのフライバックパルス４１が導かれる。従って、パルス監視回路２８は、フライバックパルス４１は正常なパルスであると判定する。
【００４３】
マイコン１３は、フライバックパルス４１が正常ではないことを示す知らせがパルス監視回路２８から出力されないときには、アノードキャップ１０５がアノード１０４に接続され、アノードグランド線１０３が端子４０１に接続されているとして、偏向用信号発生部２２からトランジスタＱ１に駆動用の信号の出力を続けさせる。
【００４４】
一方、アノードキャップ１０５がアノード１０４に接続されていない、あるいは、アノードグランド線１０３が端子４０１に接続されていない状態において、商用電源が供給されたため、動作状態となったときには、フライバックトランス２からは正常なフライバックパルス４１が出力されない。このため、パルス監視回路２８は、異常検出信号４６を、通信制御部２４を介して、マイコン１３に出力する。
【００４５】
異常検出信号４６を受け取ったマイコン１３は、アノードキャップ１０５がアノード１０４に接続されていないか、あるいは、アノードグランド線１０３が端子４０１に接続されていないとして、通信制御部２４を介し、偏向用信号発生部２２がトランジスタＱ１に駆動用の信号を出力する動作を停止させる。このため、水平出力トランジスタＱ２の動作も停止し、高圧電圧の発生が停止される。また、マイコン１３は、表示部１５の電源オンを示すＬＥＤ１５１を点滅表示することでもって、アノードキャップ１０５がアノード１０４に接続されていないか、または、アノードグランド線１０３が端子４０１に接続されていないことを警告表示する。
【００４６】
なお、本発明は上記実施形態に限定されず、表示部１５を用いた警告の表示については、電源オンを示すＬＥＤ１５１の点滅表示とした場合について説明したが、その他の警告の表示方法として、例えば、受信したチャンネル等を示すための数字表示器１５２を点滅表示する構成、等とすることができる。
【００４７】
【発明の効果】
以上説明したように、本発明では、フライバックパルスを波形整形して得られた信号である整形パルス信号を出力する波形整形回路と、装置本体の前面パネルに設けられ、電源のオンオフ等の情報が表示される表示部と、装置としての動作を制御するマイクロコンピュータとを備えた構成に適用している。そして、マイクロコンピュータは、整形パルス信号の周期に基づいて正常なフライバックパルスが出力されているかどうかを調べ、正常なフライバックパルスが送出されていないことを検出したときには水平出力トランジスタの動作を停止させるとともに表示部を用いて警告表示を行うようになっている。このため、アノード用の高圧電圧の経路が未接続であることによる感電や放電の発生を防止することができ、且つ、ハードウエアの増加を招くことなく、アノード用の高圧電圧の経路が未接続であることの警告を行うことができる。
【００４８】
また本発明では、フライバックパルスを波形整形して得られた信号である整形パルス信号を出力する波形整形回路と、装置としての動作を制御するマイクロコンピュータとを備えた構成に適用している。そして、マイクロコンピュータは、整形パルス信号の周期に基づいて正常なフライバックパルスが出力されているかどうかを調べ、正常なフライバックパルスが送出されていないことを検出したときには水平出力トランジスタの動作を停止させるようになっているので、アノード用の高圧電圧の経路が未接続であることによる感電や放電の発生を防止することができる。
【００４９】
また本発明では、正常なフライバックパルスが出力されているかどうかを調べ、正常なフライバックパルスが送出されていないことを検出したときには異常検出信号を送出するパルス監視回路を備え、マイクロコンピュータは、異常検出信号が送出されたときには水平出力トランジスタの動作を停止させるようになっているので、アノード用の高圧電圧の経路が未接続であることによる感電や放電の発生を防止することができる。
【図面の簡単な説明】
【図１】本発明に係るＣＲＴ表示装置の第１の実施形態を用いたテレビ受像機の電気的構成を示すブロック線図である。
【図２】装置本体の前面パネルに設けられた表示部を示す説明図である。
【図３】フライバックパルスと整形パルス信号とを示す説明図である。
【図４】第２の実施形態を用いたテレビ受像機の電気的構成を示すブロック線図である。
【符号の説明】
１  ＣＲＴ
２  フライバックトランス
１３  マイクロコンピュータ
１５  表示部
２３  波形整形回路
２５  水平発振回路
２６  水平ＡＦＣ回路
４１  フライバックパルス（ＡＦＣ  ＰＵＬＳ）
４２  整形パルス信号
４６  異常検出信号
５１  装置本体
５２  前面パネル
１０１  外部導電膜
１０２  水平偏向コイル
１０３  アノードグランド線
１０４  アノード
１０５  アノードキャップ
Ｑ２  水平出力トランジスタ
【図１】
2004364073.tif 000003
【図２】
2004364073.tif 000004
【図３】
2004364073.tif 000005
【図４】
2004364073.tif 000006